(57)【要約】【課題】  コンクリートミキサー車で生コンを搬送するときに、直射日光や周辺温度の影響により、回転ドラム内の温度が所定の範囲に保つことができず、水和による熱で生コンの硬化が促進されたり、温度が低く硬化が中々進まないことがあった。【解決手段】  気泡や隙間の沢山ある天然又は化学繊維を断熱部材として、コンクリートミキサー車に搭載されている回転ドラムの外壁とし、夏は気泡や隙間に水分を含ませ、気化熱により回転ドラム内の温度上昇を防ぎ、冬は乾燥させた断熱部材として回転とラム内の熱が外部に逃げないようにして、回転ドラム内の温度を所定の範囲内に保ち、生コンの硬化具合を所定範囲にすることとした。【選択図】図１
2009269391.tif 000002
【特許請求の範囲】
【請求項１】
蒸発する際に回転ドラムの熱を気化熱として奪う水を小さな孔や隙間に保持した保水部材が、コンクリートミキサー車に搭載されている回転ドラムの外壁を構成することを特徴とする回転ドラムの冷却カバー。
【請求項２】
小さな孔や隙間のある請求項１に記載した保水部材が、乾かした状態では回転ドラムの熱を外部に放出するのを防ぐ断熱部材として、コンクリートミキサー車に搭載されている回転ドラムの外壁を構成することを特徴とする回転ドラムの保温カバー。
【請求項３】
親水性の天然又は化学素材で構成された多孔性のスポンジで形成された請求項１に記載された保水部材又は請求項２に記載された断熱部材。
【請求項４】
親水性の天然又は化学素材で構成された綿状の素材で構成された請求項１に記載された保水部材又は請求項２に記載されたち断熱部材。
【請求項５】
表面に、二つ以上の名称等を表示することとしたコンクリートミキサー車に搭載した回転ドラム。
【発明の詳細な説明】
【技術分野】
【０００１】  本発明は、生コンクリート（以下、生コンと略す）を攪拌しながらコンクリートミキサー車（以下、ミキサー車と略す）に搭載されている回転ドラムを冷却し並びに保温するカバーに関する。
【背景技術】
【０００２】  ミキサー車は、バッチャープラントで搭載した生コンを攪拌しながら打設現場に搬送する車である。【０００３】  生コンが固まったコンクリートは、ダム、橋梁、ビル等に使用されている。これらの構造物は当然に耐久性が必要とされ、長年の使用に耐え得るものでなければならない。生コンはセメント、砂、砂利等と水とを混合したものである。セメントには色々な種類があり、砂、砂利や水の配合の仕方により品質も変化する。従って、生コンは構造物に適したセメントを選び、砂、砂利及び水の配合も工夫がなされている。【０００４】  これに加えてコンクリートの品質に重要な影響を与えるのは温度である。同じセメントを使用し、砂、砂利及び水を同じ配合にしても、混合している時の温度が違うと、異なった品質のコンクリートが出来上がってしまうのである。温度が高いと生コンが固まるのが早く、低いと固まるのが遅くなる。固まるのが早い生コンを流し込んだ後に、固まるのが遅い生コンを流し込むと、両者が完全に接着せず、耐久性が悪くなるだけでなく、亀裂が生じここから水漏れ等が発生することがある。【０００５】  セメントの選択や砂、砂利及び水の配合具合は、比較的管理が容易であるが、温度の管理は非常に難しいことである。前記したように生コンはバッチャープラントから打設現場まで、攪拌されながら搬送される。攪拌されると、熱が発生して温度が上昇する。温度が上昇すると生コンの硬化が促進される。このときミキサー車に搭載されている鉄板で形成されている回転ドラムは、大気中にさらされている。特に夏場の炎天下に搬送するときは、直射日光がまともに当たり、温度は更に上昇して生コンは更に硬化が促進されてしまう。【０００６】  また、真冬の東北地方や北海道の大気中の温度は、氷点下になることが当たり前である。ミキサー車に搭載された生コンもこの温度の影響を受けて冷やされる。あまりに温度が低くなると、所定の強度を得ることのできないコンクリートとなってしまう。【０００７】  ミキサー車の回転ドラム内の温度が高温になるのを防ぐために、以下に示すような提案がなされている。
【特許文献１】特開２００８−０３６９７０
【特許文献２】特開２００５−０６７２８７
【特開文献３】
特開平１１−２７７５２３
【特開文献４】
特開平０９−２７７２４５
【０００８】  特許文献１には、断熱部材を回転ドラムから少し離して取り付け、太陽光及び外気温はこの断熱部材で防ぎ、回転ドラム内の温度上昇は断熱部材と回転ドラムの間を通過する空気により冷やす提案がなされている。しかし、空気は熱伝導率が悪く、回転ドラム内の温度上昇を防ぐには不十分である。また、寒冷地の温度が低い場合に対する手段が示されていない。
【０００９】  特許文献２には断熱フィルムにより回転ドラムを被い、太陽光及び外気温による温度上昇を防ぐ提案がなされている。しかし、回転ドラム内の温度を防ぐ手段はなく、寒冷地対策も示されていない。
【００１０】  特許文献３には太陽光及び外気温による温度上昇は断熱部材により防ぎ、回転ドラム内の温度上昇は、冷却空気を送る手段が示されている。しかし、冷却空気製造装置は非常に高価であり、寒冷地対策もなされていない。
【００１１】  特許文献４には、回転ドラムにハニカム構造の断熱部材で、太陽光及び外気温による温度上昇を防ぐ手段が提案されている。こま案も回転ドラム内の温度上昇を防ぐ手段はなく、寒冷地対策もなされていない。
【００１２】  ミキサー車の回転ドラムには、生コンメーカーの名称や「安全第一」の標語を表示しているものがある。ミキサー車は走行しているときは、割合と目立つものである。この回転ドラムに前記以外の名称を表示すれば、ミキサー車は動く広告媒体となる。
【発明の開示】
【発明が解決しようとする課題】
【００１３】  本発明は前記課題を解決するためになされたものであって、外気の温度の高低に関係なく、所定品質の生コンをバッチャープラントから打設現場まで、搬送することを可能にした回転ドラムのカバーを提供することを目的としている。
【課題を解決するための手段】
【００１４】  本発明は前記課題を解決するために、蒸発する際に回転ドラム内の熱を気化熱として奪う水を小さな孔や隙間に保持する保水部材が、乾かした状態では回転ドラム内の熱が外部に放出されるのを防止する断熱部材として、ミキサー車に搭載されている回転ドラムの外壁を構成することとしている。
【発明の効果】
【００１５】  本発明によれば、外気の温度が高くても、低くても回転ドラム内の温度が所定の範囲に保たれるので、所定品質の生コンをバッチャープラントから打設現場まで搬送することができ、前に流し込んだ生コンと、後に流し込んだ生コンとの間に継ぎ目がなく一体となり、亀裂が生じることがなく、長期間の使用に耐え得るコンクリートを作ることができる。また、回転ドラムに建造物等の名称を表示すれば、広告宣伝に役立つ。
【発明を実施するための最良の形態】
【００１６】  以下、本発明の実施するための最良の形態について、図面を使用し詳細に説明をする。図１にはミキサー車２の全体概略が示されている。このミキサー車２には生コンを収納し、攪拌するための回転ドラム１が搭載されている。【００１７】  図１に示されている回転ドラム２の特徴は、この外壁が図２又は図３の断面で示されるような保水部材３、６で構成されていることである。図２に示されている保水部材３は、小さな気泡を大量に含むスポンジ状の天然又は化学素材で構成されており、図３で示される保水部材６は大量の隙間のある綿のような天然又は化学素材で構成されている。【００１８】  図２及び図３で示されている保水部材３、６の作用について説明をする。夏場は気温が高く、炎天下で生コンを搬送するとき、ミキサー車２に搭載されている回転ドラム１もこれらの影響を受ける。更に回転ドラム１内で攪拌されている生コンからも熱が発生している。このような気象状態の時には、バッチャープラントから打設現場に出発する前に、回転ドラム１にホース等により水を充分に掛ける。保水部材３又は保水部材６は親水性の素材で構成されているから、回転ドラム１に水が掛かると、図２に示されている保水部材３の大量の気泡内又は図３に示されている保水部材６の多くの隙間に水がしみこむ。水が回転ドラム１の保水部材３又は保水部材６に水が充分にしみこんでからバッチャープラントを出発する。【００１９】  気温が高く炎天下をミキサー車２は走行するから、直射日光が当たる回転ドラム１は温度が上昇する。しかし、回転ドラム１には水を含んだ保水部材３、６が外壁となっているから、すぐに温度が上昇するのは、保水部材３又は保水部材６であって、この熱が回転ドラム１内に届くにはある程度の時間が必要である。ミキサー車が生コンを搬送している時には回転ドラム１は攪拌するために回転をしている。回転をしていることは、回転ドラム１周辺の空気が移動し、風が吹いているのと同じこととなる。洗濯物は同じ温度でも風が吹いているときの方が乾きやすいのと同様に、水を含んでいる保水部材３又は保水部材６は乾きやすくなる。水は気化するときに気化熱を奪うから、保水部材３又は保水部材６は冷やされることとなる。気化熱は水１ｇで１００℃、１気圧の環境下で５３９ｃａｌである。この数値がそのまま当てはまらないが。単に断熱材を施したものよりも効率はよくなる。単に断熱材を施したものは、直射日光等による熱を回転ドラム１内に伝え難くしているだけであり、熱くなった断熱材を積極的に冷やす工夫はなされていない。この実施例では、保水部材３又は保水部材６に水を含ませ、これを気化させて熱を奪わせ、積極的に冷却する工夫がなされている。【００２０】  セメントが水と混合されると、水和熱が発生する。温度が上昇すると、生コンは硬化するのが早くなる。この熱は回転ドラム１を構成する鉄板に伝わり、この後回転ドラム１を被っている保水部材３又は保水部材６に伝わる。保水部材３又は保水部材６には大量の水が含まれているから、この熱は水に伝達されることとなる。回転ドラム１を構成する鉄板から熱を放出する場合、空気中に放出するよりも水に放出するほうが効率は高い。保水部材３又は保水部材６に含まれている水��伝達された熱は、前記した気化熱により大気中に放出される。従って、回転ドラム１内の温度はそれほど上昇することはない。【００２１】  真夏の炎天下を走行するミキサー車１が、直射日光等の影響を完全に排除することは、高価な冷却装置を設置しない限り無理である。しかし、生コンを積載したミキサー車が移動を開始し生コンを排出（打設）を終了するまでの時間は、おおよそ９０分位である。この間の温度の上昇を防ぎ、回転ドラム１内の生コンの温度をある程度一定に保つには、水を含ませた保水部材３、６を回転ドラム１の外壁とすることで充分である。【００２２】  保水部材３、６の厚みは５ｃｍ位で充分であり、これを回転ドラム１の外壁として取り付けるには、ミキサー車２や回転ドラム１を変更する必要はなく、既存の物に取り付けることができ、費用が安価ですむ。【００２３】  次に冬の温度が低いときの対策について説明をする。生コンは温度が低いと硬化するのが遅くなるが、あまりに低いとその品質も劣化する。東北地方や北海道では昼でも氷点下になることが珍しいことではない。この外気温は生コンを攪拌している回転ドラム１１にも影響し，生コンの温度を下げる。実施例に示されているミキサー車２に搭載されている回転ドラム１には図２又は図３に示されている保水部材３又は保水部材６が外壁として取り付けられている。夏場の温度の高いときには、保水部材３又は保水部材６に水を含ませたが、冬の寒い時期には水を使わず，乾いた状態にする。前記したように保水部材３には大量の気泡が形成され、保水部材６には沢山の隙間がある。これら気泡や隙間が乾いている時にはここに空気が入り込む。大量の気泡や隙間に空気が入り込んだ部材は断熱部材３、６となる。これが回転ドラム１の外壁となっており、回転ドラム１内の熱は大気中にはすぐには放出されず、温度は下がり難く生コンの品質は保たれる。【００２４】  回転ドラム１を被う外壁は、夏の暑い時には気化熱を奪う水を含ませた保水部材３、６として冷却作用を行わせ、冬の寒い時には小さな孔や隙間に空気を取り込んだ断熱部材３、６として、回転ドラム１の保温作用を行わせている。つまり、ミキサー車１の外壁は、水を含ませれば冷却作用を行い、乾燥させておけば保温作用を行うということを兼用することとなる。【００２５】  ミキサー車２は走行しているときは、通常の車とその形状が異なっており、目立つものである。この回転ドラム１に生コンメーカーの名称や建造中のマンション等の名称を表示すれば、多くの人がこれを見ることとなり、動く広告媒体となる。図１示してあるミキサー車２の回転ドラム１には、２枚の名札４、５が表示されている。この実施例ではテープを張る形で表示しているが、名札を差し込むようにしてもよい。また、この数を増加させてもよい。
【産業上の利用可能性】
【図面の簡単な説明】
【００２６】
【図１】コンクリートミキサー車の概観の概略を示したものである。
【図２】保水部材と断熱部材の断面を示すものである。
【図３】図２とは異なる保水部材と断熱部材の断面を示すものである。
【符号の説明】
【００２７】１・・回転ドラム
２・・コンクリートミキサー車
３、６・・保水部材、断熱部材
【図１】
2009269391.tif 000003
【図２】
2009269391.tif 000004
【図３】
2009269391.tif 000005